(57)【要約】【課題】  ロック溝に対してレバーを常に確実な係合状態にして鍵保管装置の防犯性を向上させる。【解決手段】  ロック溝１ｃを有するホルダ部１ａに鍵部１ｂの基端が保持されたホルダ付鍵１を、鍵収納部３１に着脱自在に収納する鍵保管装置１００であって、鍵収納部３１にホルダ付鍵１が収納された時にロック溝１ｃに係合してホルダ付鍵１の抜脱を規制するレバーと、レバーを係合・係合解除方向へ回動する駆動手段と、ロック溝１ｃに対するレバーの係合・係合解除状態に応じてオン・オフする検知手段と、検知手段がオンからオフに切り換わった時にレバーが係合方向へ回転するよう駆動手段を駆動制御する制御手段とを設けた。【選択図】    図１
2005273418.tif 000002
【特許請求の範囲】
【請求項１】
鍵部の基端を保持するホルダ部にロック溝が形成されたホルダ付鍵を、鍵収納部に着脱自在に収納する鍵保管装置であって、
前記鍵収納部に前記ホルダ付鍵が収納された時に前記ロック溝に係合して該ホルダ付鍵の抜脱を規制するレバーと、
該レバーを係合又は係合解除方向へ回動する駆動手段と、
前記ロック溝に対する前記レバーの係合又は係合解除状態に応じてオン・オフする検知手段と、
該検知手段がオンからオフに切り換わった時に前記レバーが係合方向へ回転するよう前記駆動手段を駆動制御する制御手段とを具備したことを特徴とする鍵保管装置。
【請求項２】
複数の前記ホルダ付鍵をそれぞれに収容する複数の前記鍵収納部が設けられ、それぞれの該鍵収納部に対応して前記検知手段、前記レバー及び前記駆動手段が設けられた請求項１記載の鍵保管装置であって、
前記制御手段は、前記検知手段のオン・オフ状態を順番に監視し、任意の検知手段のオンからオフへの切り換わり時には、該検知手段に対応する前記レバーが係合方向に回転するよう対応の駆動手段を制御し、任意の検知手段のオン時には、次の検知手段に監視を移行することを特徴とする鍵保管装置。
【発明の詳細な説明】
【技術分野】
【０００１】
本発明は、ロック溝を有するホルダ部に鍵部の基端が保持されたホルダ付鍵を、所定の照合操作を経て鍵収納部に着脱自在に収納する鍵保管装置に関し、特に、ホルダ付鍵を鍵収納部に施錠する際にホルダ部のロック溝に係合するレバーの不正な回転を防止して防犯性を高めることができる鍵保管装置に関する。
【背景技術】
【０００２】
例えば商業ビル、居住用マンション、事業所の通用口などには、ＩＤカードによる照合によって鍵の取り出しや保管を可能にする鍵保管装置が設けられる場合がある。このような鍵保管装置を利用すれば、鍵の紛失や鍵の持ち出しによる複製が回避できる。
【０００３】
この種の鍵保管装置の一例として下記特許文献１に開示されるものが知られている。以下、その構成について図９〜図１２を参照しながら説明する。図９は鍵保管装置に用いられるホルダ付鍵の斜視図である。
【０００４】
図９に示すように、ホルダ付鍵１は、ホルダ部１ａとその一端に鍵部１ｂとが設けられ、ホルダ部１ａの他端に鍔部１ｄが設けられている。ホルダ部１ａの一側面には、ロック溝１ｃが設けられている。鍔部１ｄには、その表面に施錠位置等を示す表示部１ｅが設けられている。ホルダ付鍵１は、鍵保管装置に保管する際、ホルダ部１ａが鍵保管装置の鍵収納部に没入されて収納される。ホルダ付鍵１の鍔部１ｄは、その表面が鍵収納部から露出して蓋を兼ねる。
【０００５】
図１０はホルダ付鍵１を収納保管する鍵保管装置の正面図である。図１０に示すように、鍵保管装置３の鍵保管パネル５には、ホルダ付鍵１を収納して保管する例えば５個の鍵収納部７と、カードリーダ９とが設けられている。また、鍵保管パネル５の表面には、各鍵収納部７に対応して表示灯１１が設けられている。鍵収納管１３にはモータ１５が設置されている。モータ１５の回転軸には、ホルダ付鍵１をロックするためのレバー１７が固定されている。鍵収納管１３には内部を摺動する可動部材１９が設けられている。可動部材１９の一端面には蓋部１９ａが形成されている。この蓋部１９ａは、ホルダ付鍵１のホルダ部１ａが挿通し得るよう開口した鍵保管装置３の挿入孔を塞ぐようになっている。
【０００６】
図１１は図１０に示した鍵収納部の斜視図である。図１１に示すように、蓋部１９ａと可動部材１９には鍵挿入孔２１が設けられている。そして、この鍵挿入孔２１にホルダ付鍵１の鍵部１ｂを挿入してホルダ付鍵１を押圧すると、蓋部１９ａと可動部材１９とが摺動する。鍵収納管１３内には、リミットスイッチ２３と光電センサによる鍵検知部２５が配置されている。リミットスイッチ２３は、可動部材１９の他端面で押圧されることによって動作する。また、鍵検知部２５は、そのセンサ部にホルダ付鍵１の鍵部１ｂが挿通されることによってホルダ付鍵１の挿入を検出する。
【０００７】
図１２はホルダ付鍵の未保管状態を（ａ）、保管状態を（ｂ）に表した従来の鍵保管装置の動作説明図である。図１２（ａ）に示すように、鍵保管装置３では、ホルダ付鍵１の未保管状態において、可動部材１９がスプリング２７によって押され、可動部材１９の蓋部１９ａが鍵保管パネル５のホルダ部挿入孔２９を塞いだ状態となる。また、レバー１７は、可動部材１９の進路を塞いでいる。
【０００８】
磁気カードをカードリーダ９に挿入すると、読み取ったＩＤコードが予め登録されたＩＤコードであるか否かが図示しない制御部によって判定される。ＩＤコードが一致すると、該当する鍵収納部７の表示灯１１が点灯し、モータ１５を駆動させてレバー１７を９０度回動させ、可動部材１９が摺動し得る状態となる。次いで、表示灯１１が点灯する鍵収納部７の鍵挿入孔２１にホルダ付鍵１の鍵部１ｂを差し込み、ホルダ部１ａで可動部材１９を鍵収納管１３の奧へ押し込む。
【０００９】
図１２（ｂ）に示すように、ホルダ付鍵１の鍵部１ｂが鍵検知部２５を通過すると、鍵検知部２５が鍵の挿入を検知する。さらに、ホルダ付鍵１を押すと、リミットスイッチ２３が動作する。このリミットスイッチ２３の動作によってモータ１５が動作し、レバー１７が再び９０度回動する。これにより、レバー１７は、ホルダ部１ａのロック溝１ｃに係合し、ホルダ付鍵１がロック状態となる。
【００１０】
ホルダ付鍵１の取り出しは、磁気カードを操作して、カードリーダ９でＩＤコードを読み取らせる。図示しない制御部は読み取った情報を照合し、照合が一致した場合、該当する鍵収納部７の表示灯１１を点灯させる。表示灯１１が点灯している鍵収納部７にホルダ付鍵１を押し込むと、リミットスイッチ２３がオン状態となってモータ１５が駆動し、レバー１７が９０度回動する。これにより、ロック状態であったホルダ付鍵１は、ロックが解除され、鍵収納部７から取り出し可能となる。
【特許文献１】特開２００１−７３６００号公報
【発明の開示】
【発明が解決しようとする課題】
【００１１】
上述した従来の鍵保管装置３は、鍵収納部７内にリミットスイッチ２３が設けられ、リミットスイッチ２３が可動部材１９の他端面で押圧されることで動作し、モータ１５によってレバー１７が回動され、ホルダ付鍵１のロック溝１ｃに係合されてホルダ付鍵１がロック状態となる。
【００１２】
ところで、上記鍵保管装置３に保管されるホルダ付鍵１は、ロック状態において、２〜３ｍｍ程度押すことができ、これによりリミットスイッチ２３がオンされるようになっている。換言すれば、押圧力の加えられていない通常のロック状態では、可動部材１９がスプリング２７の付勢力によって取り出し方向へ２〜３ｍｍ程度移動して戻され、ロック溝１ｃにレバー１７が係合してホルダ付鍵１の飛び出しが規制され、同時にリミットスイッチ２３がオフ状態となっている。
【００１３】
従って、鍵保管装置３に外部から衝撃が加えられたり、例えば薄板や細棒等の係合解除部材が挿入され、レバー１７が係合解除方向に不正に回転されると、ロック溝１ｃに対するレバー１７のロック状態が低下し、ホルダ付鍵１が不正に取り出し易くなり、鍵保管装置３の防犯性を低下させるおそれがあった。
【００１４】
本発明は上述した問題点に鑑みてなされたもので、ロック溝に対してレバーを常に確実な係合状態とすることができ、防犯性の向上を図ることができる鍵保管装置を提供することを目的とする。
【課題を解決するための手段】
【００１５】
次に、上記の課題を解決するための手段を、実施の形態に対応する図面を参照して説明する。
本発明の請求項１に記載された鍵保管装置は、鍵部の基端を保持するホルダ部にロック溝が形成されたホルダ付鍵を、鍵収納部に着脱自在に収納する鍵保管装置であって、
前記鍵収納部に前記ホルダ付鍵が収納された時に前記ロック溝に係合して該ホルダ付鍵の抜脱を規制するレバーと、
該レバーを係合又は係合解除方向へ回動する駆動手段と、
前記ロック溝に対する前記レバーの係合又は係合解除状態に応じてオン・オフする検知手段と、
該検知手段がオンからオフに切り換わった時に前記レバーが係合方向へ回転するよう前記駆動手段を駆動制御する制御手段とを具備したことを特徴とする。
【００１６】
この鍵保管装置では、外部から衝撃が加えられたり、例えば薄板や細棒等の係合解除部材が挿入され、レバーが係合解除方向に不正に回転されてレバーのロック状態が低下すると、検知手段がオンからオフに切り換わり、駆動手段が制御手段によって駆動される。これにより、レバーが再び係合方向へ回転され、ロック溝に対してレバーが常に確実な係合状態となる。
【００１７】
請求項２に記載された鍵保管装置は、複数の前記ホルダ付鍵をそれぞれに収容する複数の前記鍵収納部が設けられ、それぞれの該鍵収納部に対応して前記検知手段、前記レバー及び前記駆動手段が設けられた請求項１記載の鍵保管装置であって、
前記制御手段は、前記検知手段のオン・オフ状態を順番に監視し、任意の検知手段のオンからオフへの切り換わり時には、該検知手段に対応する前記レバーが係合方向に回転するよう対応の駆動手段を制御し、任意の検知手段のオン時には、次の検知手段に監視を移行することを特徴とする。
【００１８】
この鍵保管装置では、制御手段が検知手段のオン・オフ状態を順番に監視し、任意の検知手段がオンからオフへ切り換わった時には、この検知手段に対応するレバーが係合方向に回転される。また、任意の検知手段がオン時には、次の検知手段に監視が移行される。すなわち、レバーが不正に回転された鍵収納部のみが特定されて、そのレバーが再び係合方向へ回転されることになる。
【発明の効果】
【００１９】
本発明に係る請求項１記載の鍵保管装置によれば、レバーの係合又は係合解除状態に応じてオン・オフする検知手段を設け、検知手段がオンからオフに切り換わった時にレバーが係合方向へ回転するよう駆動手段を駆動制御する制御手段を設けたので、外部から衝撃が加えられたり、例えば薄板や細棒等の係合解除部材が挿入され、レバーが係合解除方向に不正に回転されてレバーのロック状態が低下しても、検知手段がオンからオフに切り換わった時に制御手段が駆動手段を駆動し、レバーを再び係合方向へ回転させ、ロック溝に対してレバーを常に確実な係合状態とすることができる。この結果、鍵収納部からの不正なホルダ付鍵の取り出しを防止して、鍵保管装置の防犯性を向上させることができる。また、検知手段を常にオン状態とできるので、システム的にセキュリティ状態が低下する不具合も防止することができる。
【００２０】
請求項２記載の鍵保管装置によれば、複数のホルダ付鍵を収容する複数の鍵収納部が設けられている場合、制御手段が検知手段のオン・オフ状態を順番に監視し、任意の検知手段のオンからオフへの切り換わり時には、この検知手段に対応するレバーが係合方向に回転するよう対応の駆動手段を制御する。また、任意の検知手段のオン時には、次の検知手段に監視を移行させる。これにより、複数の鍵収納部が設けられている場合、レバーが係合解除方向に不正に回転され、ロック溝に対するレバーの係合力が低下した鍵収納部のみを特定して、そのレバーを再び係合方向へ回転させることができ、鍵保管装置全体の防犯性低下を短時間で効率的に防止することができる。
【発明を実施するための最良の形態】
【００２１】
以下、本発明に係る鍵保管装置の好適な実施の形態を図面を参照して詳細に説明する。図１は本発明に係る鍵保管装置の外観斜視図、図２は図１に示した鍵保管装置の要部拡大図、図３は図１に示した鍵保管装置を制御する制御装置のブロック図である。なお、図９〜図１２に示した部材と略同一の部材には同一の符号を付して説明する。
【００２２】
本実施の形態による鍵保管装置１００は、前述した従来の鍵保管装置３と同様の用途で用いられることを目的として、所定の照合操作を経てホルダ付鍵１を鍵収納部３１に着脱自在に収納する。ホルダ付鍵１は、従来と略同様の構成となる。すなわち、ホルダ付鍵１は、ホルダ部１ａとその一端に鍵部１ｂとが設けられ、ホルダ部１ａの他端に鍔部１ｄが設けられている。ホルダ部１ａの一側面には、ロック溝１ｃが設けられている。鍔部１ｄには、その表面に施錠位置等を示す表示部１ｅが設けられている。ホルダ付鍵１は、鍵保管装置１００に保管する際に、そのホルダ部１ａが鍵保管装置１００の鍵収納部３１に没入されて収納される。ホルダ付鍵１の鍔部１ｄは、その表面が鍵収納部３１から露出して蓋を兼ねる。
【００２３】
鍵保管装置１００の鍵保管パネル５には、ホルダ付鍵１を収納して保管する例えば５個の鍵収納部３１と、カードリーダ９と、入力手段（テンキー３３）が設けられている。また、鍵保管パネル５の表面には、鍵収納部３１の位置に対応して表示灯１１が設けられている。鍵収納部３１には駆動手段であるモータ１５（図３、図１１参照）が設置されている。このモータ１５の回転軸は、ホルダ付鍵１をロックするための図２に示すレバー３５を固定している。モータ１５は、レバー３５を係合・係合解除方向へ回動する。
【００２４】
本実施の形態によるレバー３５は、半円形板に成形され、その中心部がモータ１５の駆動軸に固定されて回動する。レバー３５は、鍵収納部３１にホルダ付鍵１が収納された時に図２の姿勢から時計回りに９０度回転して図５の姿勢となり、ホルダ付鍵１のロック溝１ｃに係合してホルダ付鍵１の抜脱を規制する。このレバー３５としては、耐摩耗性に優れたプラスチック（例えばDuracon ：商品名）等が用いられる。
【００２５】
鍵収納部３１には内部を摺動する可動部材１９が設けられている。可動部材１９の一端面には蓋部１９ａが形成されている。蓋部１９ａは、ホルダ付鍵１のホルダ部１ａが挿通し得るよう開口した鍵収納部３１の挿入孔２９を塞ぐようになっている。蓋部１９ａと可動部材１９には鍵挿入孔２１が設けられている。そして、鍵挿入孔２１にホルダ付鍵１の鍵部１ｂが挿入され、ホルダ付鍵１を押圧することによって可動部材１９が鍵収納部３１の奥側へ摺動する。
【００２６】
図２に示すように、鍵収納部３１内には、検知手段であるレバー回転検出センサ３７と光電センサによる鍵検知部３９が配置されている。図２及び図５に示すように、レバー回転検出センサ３７は、作動子としての押圧片３７ａを有した例えばマイクロスイッチで構成される。レバー回転検出センサ３７は、レバー３５の軸部３５ａに半径方向外側に一体に突出する不図示の突起部が所定の回転角範囲となることで、押圧片３７ａが押し上げられて内部接点を閉じる（オン状態）。レバー回転検出センサ３７は、レバー３５が確実にロック溝１ｃに係合した状態（所定の回転角範囲内）でオンする。換言すれば、レバー回転検出センサ３７は、レバー３５がロック溝１ｃに係合していても、所定の回転角範囲内から外れればオフするようになっている。
【００２７】
鍵検知部３９は、従来例で説明したリミットスイッチ２３と同等の機能を備えている。すなわち、鍵検知部３９は、鍵部１ｂの挿入方向に離間して配置された図示しない２つの光電センサを有し、挿入方向手前側の光電センサで鍵部１ｂの挿入を検出し、挿入方向奥側の光電センサで押し込み時の鍵部１ｂを検出するようになっている。
【００２８】
すなわち、押圧力の加えられていない通常のロック状態では、可動部材１９がスプリングの付勢力によって取り出し方向へ２〜３ｍｍ程度移動されて戻り、ロック溝１ｃにレバー３５が係合されている。これにより、ホルダ付鍵１の飛び出しが規制され、同時に挿入方向奥側の光電センサがオフ状態となる。この状態で、ホルダ付鍵１は、２〜３ｍｍ程度押すことができ、それにより挿入方向奥側の光電センサをオンとし得るようになっている。
【００２９】
図３に示すように、鍵保管装置１００を制御する制御装置４１は、電源４３と制御手段４５を備えている。制御手段４５は、電源４３から必要な電力が供給されるとともに、レバー回転検出センサ３７から施錠信号が入力され、その施錠信号に応じてモータ１５へ解錠通電又は施錠通電を制御している。制御手段４５は、レバー回転検出センサ３７がオンからオフに切り換わった時に、レバー３５が係合方向へ回転するようモータ１５を駆動制御する。また、制御手段４５は、カードリーダ９に挿入された磁気カードの磁気情報とテンキー３３から暗証番号を取得し、この取得した情報と予め登録された情報（施錠又は解錠を許可するための情報）とを比較し、この比較結果に基づいて対象となる鍵収納部３１のモータ１５への解錠通電又は施錠通電を制御している。なお、制御手段４５は、例えばマイコロコンピュータ、リレー・タイマー、プログラマブルシーケンサーの他、記憶手段に格納されるプログラムの形態であってもよい。
【００３０】
次に、上記鍵保管装置１００の動作について説明する。図４は複数箇所の鍵収納部がコジアケ状態となった場合の制御手順を説明する図、図５はレバーがロック状態の場合の要部拡大図、図６はレバーが不正回転された状態の要部拡大図、図７は各鍵収納部における駆動手段の制御手順を説明するタイムチャート、図８は複数の鍵収納部における駆動手段の制御手順を説明するタイムチャートである。なお、本例では、正規の解錠操作なしに外部から衝撃等が加えられて鍵保管装置１００からホルダ付鍵１が取り出される行為を「コジアケ」と称している。
【００３１】
鍵保管装置１００では、ホルダ付鍵１の未保管状態において、可動部材１９が、スプリング２７（図１１参照）によって押され、可動部材１９の蓋部１９ａが鍵保管パネル５のホルダ部挿入孔２９を塞いだ状態となる。また、レバー３５が図５に示す状態に位置している。
【００３２】
磁気カードをカードリーダ９に挿入し、テンキー３３にて暗証番号が入力されると、制御手段４５によって、読み取ったＩＤコードと暗証番号が予め登録されたＩＤコードと暗証番号であるか否かが判定される。ＩＤコードと暗証番号とが共に一致すると、ホルダ付鍵１の収納箇所の表示灯１１が点灯する。この状態で、モータ１５を駆動させてレバー３５を反時計方向に９０度回動させる。これにより、レバー３５が図２に示す状態となり、、可動部材１９が摺動し得る状態となる。次いで、表示灯１１が点灯する鍵収納部３１の鍵挿入孔２１に対してホルダ付鍵１の鍵部１ｂを差し込み、ホルダ部１ａで可動部材１９を鍵収納管１３の奧側へ押し込む。
【００３３】
ホルダ付鍵１の鍵部１ｂが鍵検知部３９の挿入方向手前側の光電センサを通過すると、鍵検知部３９は鍵の挿入を検知する。さらに、ホルダ付鍵１を押すと、挿入方向奥側の光電センサが動作する。この挿入方向奥側の光電センサの動作によって、モータ１５が動作して、レバー３５が再び時計方向に９０度回動する。これにより、図５に示すように、レバー３５は、ホルダ部１ａのロック溝１ｃに係合し、ホルダ付鍵１をロック状態とする。そして、ホルダ付鍵１から手を離すと、挿入方向奥側の光電センサはオフとなる。鍵検知部３９へのホルダ付鍵１の挿入操作は、表示灯１１が点灯している間に実施し、ホルダ付鍵１がロックされると表示灯１１は消灯する。表示灯１１の消灯後、手を離してもレバー３５がロック溝１ｃに係合しているため、ホルダ付鍵１が飛び出すことはない。
【００３４】
このようなロック状態において、鍵保管装置１００に外部から衝撃が加えられたり、例えば薄板や細棒等の係合解除部材が挿入され、レバー３５が図６に示すように係合解除方向に不正に回転されると、係合解除までの回転距離が短くなって、レバー３５のロック状態が低下する。この際、レバー３５が所定の回転角範囲以上回転されていると、レバー回転検出センサ３７から制御手段４５へオフ信号が出力される。
【００３５】
制御手段４５は、常時レバー回転検出センサ３７からの施錠信号（オン信号）を監視し（ステップ１：以下、ｓｔ１と記す）、レバー回転検出センサ３７がオンからオフに切り換わった時（すなわち、オフ信号の受信時）に、レバー３５が係合方向へ回転するようモータ１５を駆動制御する。
【００３６】
ここで、本実施の形態のように、鍵収納部３１が複数設けられている場合、制御手段４５は、図４に示すように、各鍵収納部３１のレバー回転検出センサ３７のオン・オフ状態を順番に監視し、任意のレバー回転検出センサ３７のオンからオフへの切り換わり時には、このレバー回転検出センサ３７に対応するレバー３５が係合方向に回転するように対応するモータ１５を制御する。また、任意のレバー回転検出センサ３７のオン時には、次のレバー回転検出センサ３７に監視を移行する。
【００３７】
すなわち、レバー３５が不正に回転された鍵収納部３１のみが特定されて、そのレバー３５が再び係合方向へ回転されることになる。これにより、複数の鍵収納部３１が設けられている場合、レバー３５が係合解除方向に不正に回転され、レバー３５のロック状態が低下した鍵収納部３１のみを特定して、そのレバー３５を再び係合方向へ回転させることができ、鍵保管装置全体の防犯性低下を、短時間で効率的に防止できるようになっている。
【００３８】
具体的な処理手順としては、例えば１番目の鍵収納部３１において、レバー回転検出センサ３７がオンからオフへ切り換わると、５分間経過したか否かが判断され（ｓｔ３）、経過していない場合には制御手段４５が制御信号（コジアケエラー）をモータ１５へ送出し（ｓｔ５）、モータ１５を１００ｍｓｅｃの間駆動させた後（ｓｔ７）、１５０ｍｓｅｃ駆動を休止させる（ｓｔ９）。
【００３９】
従って、１番目のホルダ付鍵１のみがオフへ切り換わっている場合には、（ｓｔ１１）〜（ｓ１９）、及び（ｓｔ２１）〜（ｓｔ２９）が省略され、１００ｍｓｅｃ駆動、１５０ｍｓｅｃ休止の動作が、処理ｓｔ３によって５分間繰り返され、図７に示すタイミングでモータ１５が係合方向へ徐々に駆動されることになる。そして、制御手段４５は、レバー回転検出センサ３７からオン信号が送出されれば、当該駆動制御を終了することになる。
【００４０】
このようにして、レバー３５を徐々に係合方向へ回転させる制御を行うことで、未知の不正回転量を過剰回転させずに適切に戻すことができ、レバー３５等の破壊を防止することができる。
【００４１】
なお、５箇所の鍵収納部３１の全てがオフへ切り換わっている場合には、（ｓｔ１１）〜（ｓｔ１９）、及び（ｓｔ２１）〜（ｓｔ２９）の処理が順次実行され、図８に示すタイミングで各モータ１５が係合方向へ順次駆動されて行くことになる。これにより、不正行為によってレバー３５が係合解除方向へ回転されても、レバー３５が係合方向へ戻され、ホルダ付鍵１が常に確実な保管状態に維持されることになる。
【００４２】
従って、上記の鍵保管装置１００によれば、レバー３５の係合・係合解除状態に応じてオン・オフするレバー回転検出センサ３７を設け、レバー回転検出センサ３７がオンからオフに切り換わった時にレバー３５が係合方向へ回転するようモータ１５を駆動制御する制御手段４５を設けたので、外部から衝撃が加えられたり、例えば薄板や細棒等の係合解除部材が挿入され、レバー３５が係合解除方向に不正に回転されてレバー３５のロック状態が低下しても、レバー回転検出センサ３７がオンからオフに切り換わった時に制御手段４５がモータ１５を駆動し、レバー３５を再び係合方向へ回転させ、ロック溝１ｃに対してレバーを常に確実な係合状態とすることができる。この結果、鍵収納部３１からの不正なホルダ付鍵１の取り出しを防止して、鍵保管装置１００の防犯性を向上させることができる。また、レバー回転検出センサ３７を常にオン状態とできるので、システム的にセキュリティ状態が低下する不具合も防止することができる。
【図面の簡単な説明】
【００４３】
【図１】本発明に係る鍵保管装置の外観斜視図である。
【図２】図１に示した鍵保管装置の要部拡大図である。
【図３】図１に示した鍵保管装置を制御する制御装置のブロック図である。
【図４】複数箇所の鍵収納部がコジアケ状態となった場合の制御手順を説明する図である。
【図５】レバーがロック状態の場合の要部拡大図である。
【図６】レバーが不正回転された状態の要部拡大図である。
【図７】各鍵収納部における駆動手段の制御手順を説明するタイムチャートである。
【図８】複数の鍵収納部における駆動手段の制御手順を説明するタイムチャートである。
【図９】鍵保管装置に用いられるホルダ付鍵の斜視図である。
【図１０】従来の鍵保管装置の正面図である。
【図１１】図１０に示した鍵収納部の斜視図である。
【図１２】ホルダ付鍵の未保管状態を（ａ）、保管状態を（ｂ）に表した従来の鍵保管装置の動作説明図である。
【符号の説明】
【００４４】
１…ホルダ付鍵
１ａ…ホルダ部
１ｂ…鍵部
１ｃ…ロック溝
１５…モータ（駆動手段）
３１…鍵収納部
３５…レバー
３７…レバー回転検出センサ（検知手段）
４５…制御手段
１００…鍵保管装置
【図１】
2005273418.tif 000003
【図２】
2005273418.tif 000004
【図３】
2005273418.tif 000005
【図４】
2005273418.tif 000006
【図５】
2005273418.tif 000007
【図６】
2005273418.tif 000008
【図７】
2005273418.tif 000009
【図８】
2005273418.tif 000010
【図９】
2005273418.tif 000011
【図１０】
2005273418.tif 000012
【図１１】
2005273418.tif 000013
【図１２】
2005273418.tif 000014